(57)【要約】【課題】剛性を低下させることなく、内部の缶容器やボトル容器を簡単に取り出せるとともに、開封後の塵埃の進入を防止する。【解決手段】広壁部１０Ａ，１０Ｂと、側壁部１１Ａ，１１Ｂと、内フラップ１４Ａ〜１５Ｂと、外フラップ１６Ａ〜１７Ｂとを備え、側壁部１１Ａ，１１Ｂおよび内フラップ１４Ａ〜１５Ｂにかけて延びる分割用破断手段１９Ａ，１９Ｂを設け、２分割可能とした包装箱において、第１側壁部１１Ａに、第１内フラップ１４Ａ，１４Ｂとの境界線の略両端から分割用破断手段１９Ａ，１９Ｂにかけて延びる取出用破断手段２４Ａ，２４Ｂを設け、開封状態で、取出用破断手段２４Ａ，２４Ｂおよび分割用破断手段１９Ａ，１９Ｂによって第１側壁部１１Ａを破断して内部を露出可能とするとともに、第２内フラップ１５Ａ，１５Ｂおよび外フラップ１６Ａ〜１７Ｂに、互いに係止する係止手段を設けて再封緘可能な構成としている。【選択図】図１
2006248554.tif 000002
【特許請求の範囲】
【請求項１】
対向する第１および第２広壁部と、これら広壁部の側部を閉塞する第１および第２側壁部と、これら側壁部の両端縁に連設した第１および第２内フラップと、前記広壁部の両端縁に連設した第１および第２外フラップとを備え、前記側壁部および連続する内フラップにかけて延びる分割用破断手段を設け、該分割用破断手段により２分割可能とした包装箱において、
少なくとも第１側壁部に、連続する第１内フラップとの境界線の略両端から前記分割用破断手段にかけて延びる取出用破断手段を設け、各内フラップおよび外フラップにより開口部を開封した状態で、前記取出用破断手段および分割用破断手段によって第１側壁部の一部を破断することにより、内部を露出可能とするとともに、
少なくとも第２内フラップおよび重畳する各外フラップに、互いに係止する係止手段を設け、この係止手段により再封緘可能としたことを特徴とする包装箱。
【請求項２】
前記取出用破断手段は、前記分割用破断手段に対して鋭角に交わるように所定間隔をもって位置する複数の切断線からなり、前記分割用破断手段の近傍に位置する端の切断線に、前記分割用破断手段の切断線の延び方向と逆向きで、前記分割用破断手段に対して鋭角に交わるように延びるガイド線を設けたことを特徴とする請求項１に記載の包装箱。
【請求項３】
第１破断線に対して異なる第２破断線が鋭角に交わる破断線構造において、
前記第１破断線の近傍に位置する第２破断線の端部に、前記第２破断線の延び方向と逆向きで、前記第１破断線に対して鋭角に交わるように延びるガイド線を設けたことを特徴とする包装箱の破断線構造。
【発明の詳細な説明】
【技術分野】
【０００１】
本発明は、主としてビールやジュースなどの缶容器やボトル容器を収容する包装箱およびそれに用いる破断線構造に関するものである。
【背景技術】
【０００２】
この種の商品を収容する包装箱は、矩形状をなす一対の広壁部と、これら広壁部の側部を閉塞する一対の側壁部と、側壁部の上下端縁に連設した内フラップと、前記広壁部の上下端縁に連設した外フラップとを備えている。そして、缶容器やボトル容器を上下端が対向する広壁部にかけて位置するように複数収容し、内フラップに対して外フラップをホットメルトなどの接着剤により貼着している。
【０００３】
本発明の包装箱に関連する先行技術文献情報としては次のものがある。
【０００４】
【特許文献１】実開昭６１−２２７１２号公報
【特許文献２】特開２００４−２５００１６号公報
【０００５】
特許文献１には、外フラップに係止穴を設けるとともに、内フラップに係止穴に挿入係止する係止片を設けた包装箱が記載されている。これにより、この包装箱は、フラップによって包装箱の一端開口部を開封した状態で、未だ缶容器やボトル容器を内部に収容する必要がある際に、係止片を係止穴に差し込んで係止させることにより再封緘し、内部の容器に塵埃が付着しないように構成している。
【０００６】
しかしながら、この特許文献１の包装箱は、包装箱の一端開口部を開封した状態で、内部の容器を取り出すには、側壁部を弾性的に変形させながら該側壁部と容器との間に手を差し込んで行う必要がある。そのため、非常に作業性が悪いうえ、作業者の手が側壁部や容器と擦れ合い、痛みを感じさせてしまうという不都合がある。
【０００７】
一方、特許文献２には、側壁部および両端の内フラップにかけて延びる破断手段を設け、該破断手段により２分割可能とした包装箱が記載されている。また、この包装箱には、広壁部の四隅から中央に向けて延びる第１切り裂き線と、上下に対応する第１切り裂き線にかけて延びる一対の第２切り裂き線とが設けられている。これにより、この包装箱は、店頭などで缶容器やボトル容器を露出して販売する際には破断手段により包装箱を分割し、一方を取り除くことによりトレー状として、販売できるように構成している。また、一部の容器のみを取り出す場合には、フラップによって包装箱の一端開口を開封した状態で、外フラップと一緒に第１切り裂き線および第２切り裂き線に沿って広壁部を切り裂くことにより、内部の容器を露出できるように構成している。
【０００８】
しかしながら、この特許文献２の包装箱は、特許文献１の包装箱で生じる問題は防止できる反面、第１および第２切り裂き線により広い露出部が形成されるため、内部に残った容器に塵埃が付着するという問題がある。また、各壁部には、複雑な構造からなる破断手段および切り裂き手段が設けられているため、封緘状態の包装箱の剛性が低下するという問題があるうえ、製造コストが高くなるという問題がある。
【発明の開示】
【発明が解決しようとする課題】
【０００９】
本発明は、従来の問題に鑑みてなされたもので、剛性を低下させることなく、内部の缶容器やボトル容器を簡単に取り出せるとともに、開封後の塵埃の進入を防止できる包装箱およびそれに用いる破断線構造を提供することを課題とするものである。
【課題を解決するための手段】
【００１０】
前記課題を解決するため、本発明の包装箱は、対向する第１および第２広壁部と、これら広壁部の側部を閉塞する第１および第２側壁部と、これら側壁部の両端縁に連設した第１および第２内フラップと、前記広壁部の両端縁に連設した第１および第２外フラップとを備え、前記側壁部および連続する内フラップにかけて延びる分割用破断手段を設け、該分割用破断手段により２分割可能とした包装箱において、少なくとも第１側壁部に、連続する第１内フラップとの境界線の略両端から前記分割用破断手段にかけて延びる取出用破断手段を設け、各内フラップおよび外フラップにより開口部を開封した状態で、前記取出用破断手段および分割用破断手段によって第１側壁部の一部を破断することにより、内部を露出可能とするとともに、少なくとも第２内フラップおよび重畳する各外フラップに、互いに係止する係止手段を設け、この係止手段により再封緘可能な構成としている。
【００１１】
この包装箱によれば、分割用破断手段により各側壁部および内フラップを破断することにより、従来と同様に２分割してトレー状とすることができる。そのため、店頭において缶容器やボトル容器を露出させて販売する際の販売促進効果を得ることができる。また、一度に全ての容器を取り出す際の作業性を向上できる。
【００１２】
また、包装箱内の一部の容器を取り出す場合には、外フラップを内フラップから引き剥がした後、取出用破断手段を設けた第１側壁部と連続する第１内フラップを把持して引っ張る。これにより、第１内フラップの両端に位置する取出用破断手段に沿って第１側壁部を破断した後、続いて分割用破断手段に沿って第１側壁部を部分的に破断できる。これにより、包装箱の第１側壁部に内部の容器を露出させる部分が形成されるため、該露出部分から指を挿入することにより、簡単に端部に収容された圧接状態の容器を取り出すことができる。そのため、包装箱に収容した容器の取出作業性を向上できる。
【００１３】
さらに、希望数の容器を取り出した後に、残りの容器を必要になるまで保管する場合には、第１内フラップを開口部上に戻し、内フラップ上に外フラップが重畳するように折り曲げる。その後、第２内フラップと外フラップに設けた係止手段により、これらを係止させることにより、破断した第１内フラップを押さえつけた状態で再封緘できる。そのため、保管状態で収容した容器の表面に塵埃が付着し、容器が外観的および衛生的に損なわれることを防止できる。
【００１４】
さらにまた、前記包装箱には、トレー状に２分割するための分割用破断手段を設けた一方の側壁部を除き、他の広壁部には何ら破断手段を設けていないため、封緘状態での包装箱の剛性の低下を抑制できるとともに、製造コストが高くなることを抑制できる。
【００１５】
この包装箱では、前記取出用破断手段は、前記分割用破断手段に対して鋭角に交わるように所定間隔をもって位置する複数の切断線からなり、前記分割用破断手段の近傍に位置する端の切断線に、前記分割用破断手段の切断線の延び方向と逆向きで、前記分割用破断手段に対して鋭角に交わるように延びるガイド線を設けることが好ましい。
即ち、前記包装箱に用いる破断線構造は、第１破断線に対して異なる第２破断線が鋭角に交わる破断線構造において、前記第１破断線の近傍に位置する第２破断線の端部に、前記第２破断線の延び方向と逆向きで、前記第１破断線に対して鋭角に交わるように延びるガイド線を設けた構成としている。
【００１６】
このように構成した破断線構造によれば、第１破断線のみに沿って該破断線を設けた壁部を破断できる一方、第２破断線に沿って該破断線を設けた壁部を破断した後に、続いて第１破断線に沿って壁部を破断することができる。そして、後者の場合、破断後の壁部には、第１破断線と第２破断線との連結部分に応力が集中し、使用するに従って意図しない破断が生じる場合がある。しかし、前記破断線構造では、第２破断線の端部に逆向きに延びるガイド線を設けているため、このような問題が生じることを防止できる。
【発明の効果】
【００１７】
本発明の包装箱では、第１破断線である分割用破断手段により、従来と同様に該包装箱を２分割してトレー状とすることができる。そのため、店頭において缶容器やボトル容器を露出させて販売する際の販売促進効果を高めることができるとともに、一度に全ての容器を取り出す際の作業性を向上できる。
【００１８】
また、包装箱の一端開口部を開封した状態で、第１内フラップを把持して引っ張ることにより、取出用破断手段および分割用破断手段に沿って第１側壁部を部分的に破断し、内部の容器を露出させることができる。そのため、包装箱に収容した容器の一部を取り出す際の取出作業性を向上できる。
【００１９】
さらに、前記第１内フラップを封緘状態の位置に戻した後、係止手段により第２内フラップと外フラップとを係止することにより、破断した第１内フラップを押さえつけた状態で再封緘できる。そのため、保管状態で収容した容器の表面に塵埃が付着し、容器が外観的および衛生的に損なわれることを防止できる。
【００２０】
さらにまた、前記包装箱の広壁部には何ら破断手段を設けていないため、封緘状態での包装箱の剛性の低下を抑制できるとともに、製造コストが高くなることを抑制できる。
【発明を実施するための最良の形態】
【００２１】
以下、本発明の実施の形態を図面に従って説明する。
【００２２】
図１から図８は、本発明の実施形態に係る包装箱を示す。この包装箱は、四方を囲繞する壁部１０Ａ，１０Ｂ，１１Ａ，１１Ｂ、および、これらの上下端縁に連設したフラップ１４Ａ，１４Ｂ，１５Ａ，１５Ｂ，１６Ａ，１６Ｂ，１７Ａ，１７Ｂを備え、所定容量の缶容器やボトル容器を６行４列の配置で収容するものである。
【００２３】
具体的には、この包装箱は、表紙１および裏紙２の間に波状の中しん３を配設した段ボール紙（図８（Ｂ）参照）を、周知の紙器打抜装置によって図８（Ａ）に示す連続した一枚のブランクとして打ち抜き、所定部位を糊付けにより貼着して成形される。
【００２４】
この包装箱のブランクは、図８（Ａ）に示すように、それぞれ一対の広壁部１０Ａ，１０Ｂおよび側壁部１１Ａ，１１Ｂが直線的に連続するように設けられている。具体的には、左側より、第１側壁部１１Ａ、第１広壁部１０Ａ、第２側壁部１１Ｂおよび第２広壁部１０Ｂの順番で連続しており、その一端の側壁部１１Ａには、他端の広壁部１０Ｂの端縁に貼着するための糊代部１２が連設されている。そして、これら壁部１０Ａ〜１１Ｂおよび糊代部１２の各境界部分には、肉厚を圧縮するように罫を入れて形成した折曲線１３がそれぞれ設けられている。なお、この包装箱のブランクは、段ボール紙の中しん３が横方向である壁部１０Ａ〜１１Ｂの連続方向に延びるように構成されている。
【００２５】
前記側壁部１１Ａ，１１Ｂの上下両端縁には、第１内フラップ１４Ａ，１４Ｂおよび第２内フラップ１５Ａ，１５Ｂがそれぞれ連設されるとともに、広壁部１０Ａ，１０Ｂの上下両端縁には、第１外フラップ１６Ａ，１６Ｂおよび第２外フラップ１７Ａ，１７Ｂがそれぞれ連設されている。そして、各壁部１０Ａ〜１１Ｂ、および、各フラップ１４Ａ〜１７Ｂの各境界部分には、前記と同様の折曲線１８が設けられている。
【００２６】
そのうち、それぞれ連続する第１側壁部１１Ａと第１内フラップ１４Ａ，１４Ｂ、および、第２側壁部１１Ｂと第２内フラップ１５Ａ，１５Ｂには、第１破断線である分割用破断手段１９Ａ，１９Ｂがそれぞれ直線的に延びるように設けられている。本実施形態では、この分割用破断手段１９Ａ，１９Ｂは、図８（Ｂ）に示すように、組立状態で内面側となる裏紙２のみを切断した一対のライナーカット線２０により構成される。また、この分割用破断手段１９Ａ，１９Ｂの中央には、前記ライナーカット線２０を横断するように延びる第１切断線２１と、該第１切断線２１の両端からそれぞれライナーカット線２０と略平行に延びる第２切断線２２とが設けられ、これらにより一対の破断端部２３Ａ，２３Ｂが設けられている。なお、図面では、ライナーカット線２０の形成位置を明確に示すため、表紙１に相当する位置にも薄い線で記載している。
【００２７】
そして、本実施形態では、第１側壁部１１Ａには、前記分割用破断手段１９Ａにかけて傾斜して延びる第２破断線である取出用破断手段２４Ａ，２４Ｂが上下にそれぞれ設けられ、前記分割用破断手段１９Ａを利用して第１側壁部１１Ａの一部を破断することにより、内部を部分的に露出できるように構成している。具体的には、この取出用破断手段２４Ａ，２４Ｂは、連続する第１内フラップ１４Ａ，１４Ｂとの境界線である前記折曲線１８の両端から、ライナーカット線２０に対して鋭角に交わるように所定間隔をもって設けた複数の切断線２５からなるジッパー構造のものである。この各切断線２５は、段ボール紙の中しん３を切断するように所定角度で傾斜し、かつ、隣接する切断線２５に対して所定間隔をもって平行に位置するように階段状をなすように設けられている。そして、ライナーカット線２０の近傍に位置する最も内端の切断線２５には、各切断線２５の延び方向と逆向き、即ち、略９０度屈曲し、ライナーカット線２０に対して鋭角に交わるように延びるガイド線２６が設けられている。
【００２８】
また、第２内フラップ１５Ａ，１５Ｂおよび該第２内フラップ１５Ａ，１５Ｂに封緘状態で重畳する外フラップ１６Ａ〜１７Ｂには、再封緘するための係止手段が設けられている。この係止手段は、第２内フラップ１５Ａ，１５Ｂに設けた切り起こし構造の係止穴２７と、外フラップ１６Ａ〜１７Ｂに設けた係止片３０とからなる。
【００２９】
前記係止穴２７は、各第２内フラップ１５Ａ，１５Ｂにおいて、ライナーカット線２０の両側にそれぞれ設けられている。この係止穴２７は、第２内フラップ１５Ａ，１５Ｂの先端側中央より、第２側壁部１１Ｂの両端に向けて延びる折曲線と、該折曲線上に所定間隔をもって設けた切断部とからなるリード罫２８を備えている。そして、このリード罫２８の両端を連続するように、流線形状の切断線２９を設けることにより、切り起こし構造の係止穴２７を構成させている。
【００３０】
前記係止片３０は、外フラップ１６Ａ〜１７Ｂにおいて、前記係止穴２７と隣接する側縁に流曲線状の縁をなすように切欠部３１を設けることにより、外フラップ１６Ａ〜１７Ｂの先端一隅部に設けられている。なお、これら外フラップ１６Ａ〜１７Ｂの先端両側縁は、従来と同様に、封緘状態で対向する外フラップ１６Ａ〜１７Ｂとで半長楕円形状をなすように切欠部３２が設けられている。
【００３１】
前記構成の包装箱は、例えば、前記ブランクの状態で所定の製造メーカに出荷され、自動組立包装装置により封緘される。具体的には、ブランク状態の第１広壁部１０Ａに所定の配列で容器が載置される。その後、前記広壁部１０Ａを中心として各壁部１１Ａ，１１Ｂ，１０Ｂおよび糊代部１２が折り曲げられ、第２広壁部１０Ｂの端縁と糊代部１２とが熱溶融樹脂からなる接着剤（ホットメルト）で貼着される。ついで、各内フラップ１４Ａ〜１５Ｂが折り曲げられた後、各外フラップ１６Ａ〜１７Ｂが折り曲げられ、これらの重畳部分がホットメルトで貼着され、図１に示す封緘状態の包装箱が形成される。
【００３２】
この封緘状態の包装箱は、従来から設けられている既存の分割用破断手段１９Ａ，１９Ｂを形成する側壁部１１Ａを除き、広壁部１０Ａ，１０Ｂおよび側壁部１１Ｂには何ら破断手段を追加して設けていない。そのため、包装箱自体の剛性の低下を抑制できるとともに、製造コストが高くなることを抑制できる。
【００３３】
次に、この包装箱に収容された一部の容器を取り出す場合の使用方法について説明する。なお、以下の説明では、図８（Ａ）において、上側に位置するフラップ１４Ａ〜１７Ａを開封する場合を一例として挙げるが、下側に位置するフラップ１４Ｂ〜１７Ｂを開封する場合も同様である。
【００３４】
まず、ユーザは、図２に示すように、貼着された一方のフラップ１４Ａ〜１７Ａを引き剥がし、包装箱の一端開口部を開封した後、露出した第１内フラップ１４Ａを把持し、外向きに引っ張る。これにより、図３に示すように、第１内フラップ１４Ａの基部である折曲線１８の両端から、取出用破断手段２４Ａを構成する切断線２５（ジッパー）に沿って第１側壁部１１Ａが破断される。そして、切断線２５による破断が分割用破断手段１９Ａを構成するライナーカット線２０に至ると、これらライナーカット線２０に沿って第１側壁部１１Ａ（表紙１および中しん３）が破断される。
【００３５】
なお、前記ライナーカット線２０に沿った第１側壁部１１Ａの破断は、ユーザが希望に応じて停止するものである。但し、本実施形態では、第１側壁部１１Ａの中央に第１切断線２１を設けており、この第１切断線２１まで至ると第１内フラップ１４Ａを含む第１側壁部１１Ａの破断部材３３が完全に分割される。そのため、内部の容器を半分以上取り出さない場合には第１切断線２１までは達しない位置までとすることが好ましい。
【００３６】
このようにして第１側壁部１１Ａを部分的に破断すると、該側壁部１１Ａに圧接された端部の容器が露出する。そのため、ユーザが内部の容器を取り出す場合には、その破断部材３３により生じた露出部分３４から指を挿入し、容器に直接指を当てて持ち上げることにより、手に痛みを感じさせることなく、簡単に端部の容器を取り出すことができる。なお、端部の容器を取り出した後は、大きく開放された包装箱の開口部から手を挿入することにより、その列の容器を簡単に取り出すことができ、取出作業性を向上できる。
【００３７】
ここで、取出用破断手段２４Ａに続いて分割用破断手段１９Ａによって第１側壁部１１Ａを破断した場合、その破断部材３３には、取出用破断手段２４Ａと分割用破断手段１９Ａとの連結部分（交点）に応力が集中する。そのため、使用に従ってその連結部分から意図しない破断が生じる場合がある。しかし、前記破断線構造では、取出用破断手段２４Ａ，２４Ｂの端部に逆向きに延びるガイド線２６を設けているため、このような問題が生じることを防止できる。
【００３８】
なお、所定数の容器の取り出しが完了し、包装箱内に容器が残った状態で必要になるまで保管する場合には、第１内フラップ１４Ａを封緘状態と同様に包装箱の上端開口部上に戻す。その後、図４に示すように、一対の内フラップ１４Ａ，１５Ａ上に一対の外フラップ１６Ａ，１７Ａが重畳するように折り曲げる。ついで、外フラップ１６Ａ，１７Ａにおける係止片３０を設けた側を内向きに撓ませ、該係止片３０を第２内フラップ１５Ａの係止穴２７に差し込む。
【００３９】
これにより、第１内フラップ１４Ａが外フラップ１６Ａ，１７Ａにより押さえつけられ、前記露出部分３４を破断部材３３により閉塞した状態で再封緘できる。その結果、保管状態で外部の塵埃が収容した容器の表面に付着し、容器が外観的および衛生的に損なわれることを防止できる。
【００４０】
また、本実施形態の包装箱は、店頭などで全ての容器を露出して販売する際や、一度に全ての容器を取り出す際に、包装箱自体を２分割したトレー状とすることもできる。
【００４１】
具体的には、図５に示すように、まず、一対の広壁部１０Ａ，１０Ｂが上下に位置するように包装箱を配置する。そして、第１切断線２１の近傍を押圧して第２切断線２２に沿って第２側壁部１１Ｂを破断する。ついで、図６に示すように、破断端部２３Ａを把持して引っ張ることにより、第２側壁部１１Ｂを分割用破断手段１９Ｂを構成するライナーカット線２０に沿って破断する。この破断は、連続した第２内フラップ１５Ａの先端まで至ると完了する。同様にして、第２内フラップ１５Ｂの側に位置する破断端部２３Ｂを把持し、第２側壁部１１Ｂおよび第２内フラップ１５Ｂを破断する。また、逆側に位置する第１側壁部１１Ａおよび第１内フラップ１４Ａ，１４Ｂも同様にして破断する。そうすると、図７に示すように、一対の側壁部１１Ａ，１１Ｂおよび内フラップ１４Ａ〜１５Ｂを破断して包装箱をトレー状とすることができる。
【００４２】
このように、本発明の包装箱では、従来と同様に第１破断線である分割用破断手段１９Ａ，１９Ｂによりトレー状とすることができるため、従来と同様に、店頭において容器を露出させて販売する際の販売促進効果を高めることができるとともに、一度に全ての容器を取り出す際の作業性を向上できる。
【００４３】
なお、本発明の包装箱は、前記実施形態の構成に限定されるものではなく、種々の変更が可能である。
【００４４】
例えば、前記実施形態では、第１破断線である分割用破断手段１９は、一対のライナーカット線２０により構成したが、ミシン目状をなすように複数の切断線を所定間隔をもって平行にジッパー構造により構成してもよく、また、裏紙２にポリプロピレン製のテープを貼着した構成としてもよい。
【００４５】
また、前記実施形態では、第２内フラップ１５Ａ，１５Ｂに設けた係止穴２７と、外フラップ１６Ａ〜１７Ｂに設けた係止片３０により係止手段を構成したが、第２内フラップ１５Ａ，１５Ｂに係止片３０を設けるとともに、外フラップ１６Ａ〜１７Ｂに係止穴２７を設けてもよい。勿論、係止穴２７と係止片３０との組み合わせのみに限られず、第２内フラップ１５Ａ，１５Ｂと外フラップ１６Ａ〜１７Ｂとを互いに係止できる構成であれば、希望に応じて変更が可能である。
【図面の簡単な説明】
【００４６】
【図１】本発明に係る実施形態の包装箱の封緘状態を示す斜視図である。
【図２】包装箱を開封した状態を示す斜視図である。
【図３】包装箱の一部を破断した状態を示す斜視図である。
【図４】包装箱を再封緘した状態を示す斜視図である。
【図５】包装箱の封緘状態を示す他の斜視図である。
【図６】包装箱を２分割するために一部を破断した状態を示す斜視図である。
【図７】包装箱をトレー状に分割した状態を示す斜視図である。
【図８】（Ａ）は包装箱のブランクを示す平面図、（Ｂ）は要部断面図である。
【符号の説明】
【００４７】
１０Ａ，１０Ｂ…広壁部
１１Ａ，１１Ｂ…側壁部
１４Ａ，１４Ｂ…第１内フラップ
１５Ａ，１５Ｂ…第２内フラップ
１６Ａ，１６Ｂ…第１外フラップ
１７Ａ，１７Ｂ…第２外フラップ
１９Ａ，１９Ｂ…分割用破断手段
２４Ａ，２４Ｂ…取出用破断手段
２５…切断線
２６…ガイド線
２７…係止穴
３０…係止片
【図１】
2006248554.tif 000003
【図２】
2006248554.tif 000004
【図３】
2006248554.tif 000005
【図４】
2006248554.tif 000006
【図５】
2006248554.tif 000007
【図６】
2006248554.tif 000008
【図７】
2006248554.tif 000009
【図８】
2006248554.tif 000010